(57)【要約】      （修正有）【課題】パイプを土中に貫入するための装置を、小型で可搬式の装置とし、且つ、動力源装置を小型化することによって、隣接ビルの基礎補強、家屋基礎注入工事などの狭い場所での施工を提供する。【解決手段】本体ケースに、モータ、減速伝動装置を内装するとともに、本体ケースに形成した軸支部に、前記モータにより減速伝動装置を介してモータ駆動される駆動ギヤを回転自在に装備し、前記駆動ギヤと一体的に回転駆動される駆動ドラムを設け、駆動ドラムはその内周面には、薬剤供給用パイプの外周面に接当する多数の爪を有し、土壌改良用薬剤が供給される薬剤供給用パイプを回転させるための回転駆動機構を構成する。【選択図】図９
0003136091.tif 000002
【実用新案登録請求の範囲】
【請求項１】
本体ケースに、モータ、減速伝動装置を内装するとともに、本体ケースに形成した軸支部に、前記モータにより減速伝動装置を介してモータ駆動される駆動ギヤを回転自在に装備し、
前記駆動ギヤと一体的に回転駆動される駆動ドラムを設け、
駆動ドラムはその内周面には、薬剤供給用パイプの外周面に接当する多数の爪を有し、土壌改良用薬剤が供給される薬剤供給用パイプを回転させるための回転駆動機構を構成したことを特徴とする土壌改良装置。
【請求項２】
本体ケースに、ＡＣ100Ｖの電気モータ、減速伝動装置を内装するとともに、本体ケースに形成した軸支部に、前記電気モータにより減速伝動装置を介して電気モータ駆動される駆動ギヤを回転自在に装備し、
前記駆動ギヤと一体的に回転駆動される駆動ドラムを設け、
駆動ドラムはその内周面には、薬剤供給用パイプの外周面に接当する多数の爪を有し、土壌改良用薬剤が供給される薬剤供給用パイプを回転させるための回転駆動機構を構成したことを特徴とする土壌改良装置。
【請求項３】
本体ケースに、モータ、減速伝動装置を内装するとともに、
本体ケースに形成した軸支部に、前記モータにより減速伝動装置を介してモータ駆動される駆動ギヤを回転自在に装備し、
前記駆動ギヤと一体的に回転駆動される駆動ドラムを設け、
駆動ドラムはその周面には、薬剤供給用パイプの外周面に接当する多数の爪を有し、土壌改良用薬剤が供給される薬剤供給用パイプを回転させるための回転駆動機構を構成するともに、
本体ケースに、可搬式とするための支持フレームが付設されていることを特徴とする土壌改良装置。
【請求項４】
本体ケースに、モータ２、減速伝動装置３を内装するとともに、本体ケースに形成した軸支部に、前記モータ２により減速伝動装置３を介してモータ駆動される駆動ギヤ４を回転自在に装備し、
前記駆動ギヤ４と一体的に回転駆動される駆動ドラム６を設け、
前記駆動ドラム６は、その中心部の貫通空間に爪付き回転体１０を装備し、
前記爪付き回転体１０は、薬剤供給用パイプの外周面に接当する多数の爪１２を内周面に配置した一対の半円筒体10Ａ、10Ｂで構成し、
薬剤供給用パイプのセット状態では、締付けボルト８により爪付き回転体１０の爪１２を薬剤供給用パイプＰの外周面に圧接させる構造としたことを特徴とする土壌改良装置。
【考案の詳細な説明】
【技術分野】
【０００１】
本願考案は、家屋基礎改善、圃場改善等のための、土壌改良用薬剤を土中に供給するための装置に関するものである。
【背景技術】
【０００２】
この種の土壌改良装置は、貫入装置(杭打ち機)により土中に貫入したパイプを介して、薬剤供給装置から供給された薬剤を土中に注入している。
【０００３】
【特許文献１】特開２００６-１３０４１１０号
【特許文献２】特開２００４-２６１８１１号
【特許文献３】特開平６-９４５９０５号
【特許文献４】特開平９-２４２０５７号
【考案の開示】
【考案が解決しようとする課題】
【０００４】
前記公知技術は、土中にパイプを貫入するにあたり、杭打ち機で杭(パイプ)を地中に回転圧入している。
前記の杭打ち機は、大型機械であるため、隣接ビルの基礎補強、家屋基礎注入工事などの狭い場所での使用が困難である問題点がある。
【０００５】
よって、本考案は、パイプを土中に貫入すめための装置を、小型で可搬式の装置とし、且つ、動力源装置を小型化することによって、隣接ビルの基礎補強、家屋基礎注入工事などの狭い場所での施工を可能とすることを課題とする。
【課題を解決するための手段】
【０００６】
請求項１の考案は、本体ケースに、モータ、減速伝動装置を内装するとともに、本体ケースに形成した軸支部に、前記モータにより減速伝動装置を介してモータ駆動される駆動ギヤを回転自在に装備し、前記駆動ギヤと一体的に回転駆動される駆動ドラムを設け、駆動ドラムはその内周面には、薬剤供給用パイプの外周面に接当する多数の爪を有し、土壌改良用薬剤が供給される薬剤供給用パイプを回転昇降させるための回転駆動機構を構成したことを特徴とする土壌改良装置を提供する。
【０００７】
請求項２の考案は、前記第１考案において、前記モータは、ＡＣ100Ｖの電気モータであることを特徴とする土壌改良装置を提供する。
【０００８】
請求項３の考案は、前記請求項１の考案に加えて、本体ケースに、可搬式とするための支持アームが付設されていることを特徴とする土壌改良装置を提供する。
【０００９】
請求項４の考案は、請求項１の考案において、前記駆動ドラム６は、その中心部の貫通空間に爪付き回転体１０を装備し、前記爪付き回転体１０は、薬剤供給用パイプの外周面に接当する多数の爪１２を内周面に配置した一対の半円筒体10Ａ、10Ｂで構成し、薬剤供給用パイプのセット状態では、締付けボルト８により爪付き回転体１０の爪１２を薬剤供給用パイプＰの外周面に圧接させる構造としたことを特徴とする土壌改良装置を提供する。
【００１０】
(考案の作用)
本願考案は、回転駆動ドラムに、薬剤供給用パイプを挿入し、回転ドラムの内周面の爪を前記薬剤供給用パイプの外周面に接当させてセツトを完了する。
本体ケースを水平状態に維持して、施工箇所の地面に前記薬剤供給用パイプの先端部を挿入することで、前記薬剤供給用パイプを垂直状態に保持する。
モータを起動させ、前記モータの回転を、減速伝動装置、駆動ギヤを介して回転駆動ドラムに伝動することで、前記薬剤供給用パイプは回転する。
薬剤供給用パイプの回転させるとともに、本体ケースを押下げることで、薬剤供給用パイプは昇降する。
所定深さに降下した薬剤供給用パイプに土壌改良用薬剤を供給する。
【考案の効果】
【００１１】
本考案の土壌改良装置は、土壌改良用薬剤の供給パイプの支持・回転駆動機構と小型化した動力源装置を装備した本体ケースを可搬式とするとともに、低振動、低騒音とするものであるから、隣接ビルの基礎補強、家屋基礎注入工事などの狭い場所での施工を可能とする効果を有する。
【考案を実施するための最良の形態】
【００１２】
以下、添付図面に示す実施例にもとづいて、本考案を詳細に説明する。
【００１３】
図１ないし図５を参照して、モータ２、減速伝動装置３を内装した本体ケース1を設ける。
【００１４】
前記モータ２について、実施例においては、家庭用電源である交流１００Ｖで使用できるＡＣ100Ｖモータとしたが、動力用200Ｖ電源を使用するＡＣ２００Ｖモータを使用することもできる。更に、移動電源装置によるＡＣ１００Ｖ、ＡＣ２００Ｖ、ＤＣ１００Ｖ、ＤＣ２００Ｖとすることもできる。更に、油圧装置を動力源とする油圧モータ、コンプレッサー装置を動力源とする空圧モータとすることもできる。  
【００１５】
本体ケース1に支持フレーム７を固定して一体化し、作業者は支持フレーム７を介して土壌改良装置を支持して、土壌改良装置の移動。操作等を自在とする。
【００１６】
支持フレーム７には、垂直フレーム７Ａと水平フレーム７Ｂと支持台フレーム７Ｃとを形成する。
【００１７】
本体ケース1の側部に、軸支部４を形成し、該軸支部４に、駆動ドラム６の下端部を回転自在に装備する。
【００１８】
駆動ドラム６の下部に角柱部を形成し、該角柱部と嵌合する角孔を有する駆動ギヤ５を、駆動ドラム６の下部に装備して、駆動ギヤ５と駆動ドラム６とを回転方向に一体化する。
【００１９】
駆動ギヤ５を、減速伝動装置３の出力ギヤ３Ａと伝導させる。
【００２０】
駆動ドラム６を、減速伝動装置３および駆動ギヤ５を介して、前記モータにより高トルク(超低速)で回転駆動すべく構成する。
【００２１】
図６および図７を参照して、駆動ドラム６の上部に爪付き回転体１０を装備する。
【００２２】
駆動ドラム６の上部に角穴を形成し、爪付き回転体１０の外周面を角柱形状として、駆動ドラム６の上部と爪付き回転体１０とを、角穴嵌合により、回転方向に一体化する。
【００２３】
爪付き回転体１０は、図７に示すごとく、薬剤供給用パイプＰの外周面と対接する多数の爪１２を内周面に配置した一対の半円筒体10Ａ、10Ｂで構成する。
【００２４】
半円筒体10Ａ、10Ｂは、実施例ではセラミック製品としたが、アルミダイキャスト製品その他の金属製品としてもよいことは勿論である。
【００２５】
ボルト９およびリング円板９Ａにより半円筒体10Ａ、10Ｂの上方離脱を阻止する。
【００２６】
締付けボルト８により、前記爪付き回転体１０の爪１２を薬剤供給用パイプＰに圧接自在とする。
【００２７】
ボルト８を締め付けることで、薬剤供給用パイプＰのセット状態とし、前記駆動ギヤ５よりの回転動力を薬剤供給用パイプＰに伝達して、薬剤供給用パイプＰを回転させるべく構成する。
【００２８】
ボルト８を緩めることで、薬剤供給用パイプＰの非セット状態とし、前記爪付き回転体１０の爪１２を薬剤供給用パイプＰの外周面より離脱させ、駆動ドラム６と薬剤供給用パイプＰとのロック状態を解除する。その結果、薬剤供給用パイプＰに対し駆動ドラム６を含む装置を昇降自在とする。
【００２９】
前記爪付き回転体１０は、図７に示すごとく、薬剤供給用パイプの外周面に接当する多数の爪１２を内周面に配置した一対の半円筒体10Ａ、10Ｂで構成する。
【００３０】
半円筒体10Ａ、10Ｂは、実施例ではセラミック製品としたが、アルミダイキャスト製品その他の金属製品としてもよいことは勿論である。
【００３１】
薬剤供給用パイプのセット状態では、爪付き回転体１０を放射方向(横方向)に貫通するボルト１３により、爪１２を薬剤供給用パイプＰの外周面に圧接させる構造とするとともに、回転方向には、爪付き回転体１０(半円筒体10Ａ、10Ｂ)と駆動ドラム本体６Ａとを一体化している。
【００３２】
以下図８ないし図１１を参照して、本考案の土壌改良装置の使用例を説明する。
【００３３】
本体ケース1を横方向に倒して  駆動ドラムの中心貫通孔を土表面と間隔をおいて平行(横方向)とする。
【００３４】
駆動ドラムの  中心貫通孔に薬剤供給用パイプＰを挿入して、図８の状態とする。
【００３５】
この状態で、ボルト９を締め付けることにより、回転ドラムの内周面の爪を前記薬剤供給用パイプＰの外周面に接当させることで、前記薬剤供給用パイプＰの回転ドラムへのセツトを完了する。
【００３６】
つぎに、図９を参照して
本体ケースを水平状態に維持して、施工箇所の地面に前記薬剤供給用パイプの先端部を挿入することで、前記薬剤供給用パイプを垂直状態に保持することで、作業準備が完了する。
【００３７】
モータを起動させ、前記モータの回転を、減速伝動装置、駆動ギヤを介して駆動ドラムに伝動することで、前記薬剤供給用パイプを回転させる。
【００３８】
薬剤供給用パイプＰを回転させつつ、作業者は、装置の重量と作業者の重量とを支持フレーム７の水平フレーム７Ｂを介して薬剤供給用パイプＰに加えつつ、支持フレーム７の水平フレーム７Ｂを押下げ操作することにより、イの位置より薬剤供給用パイプＰは降下する。この際、スイベル(接続部)１３を介して削孔水Ｗの供給源に接続して、薬剤供給用パイプＰに削孔水Ｗの供給して薬剤供給用パイプＰの先端より削孔水Ｗを吐出することにより薬剤供給用パイプＰは降下を容易とする。
【００３９】
ロの位置まで、薬剤供給用パイプＰが降下すると、支持フレーム７の支持台フレーム７Ｃが接地することで、薬剤供給用パイプＰの降下は阻止される。
【００４０】
この間に、Ｒの長さだけ、薬剤供給用パイプＰの降下する。
【００４１】
ロの位置で、ボルト９を緩めて、回転ドラムの内周面の爪と前記薬剤供給用パイプＰの外周面とのロック状態を解除することで、装置は前記薬剤供給用パイプＰに対して昇降自由とし、作業者は装置をイの位置へ引上げたのち、ボルト９を締めることで、最初のセット状態となる。
【００４２】
上記作業の繰り返して、薬剤供給用パイプＰは「Ｒ」の長さの降下を繰り返すこととなる。
【００４３】
回転ドラムの内周面の爪を前記薬剤供給用パイプＰの外周面に接当させることで、前記薬剤供給用パイプＰの回転ドラムへのセツトを完了する。
【００４４】
かくして、図１０に示すごとく、削孔工程におうては、上記の図９の作業の繰り返しで、図１０のａ、ｂ、ｃ、と、「Ｒ」の長さの降下を繰り返して、ｄ図の所定深さの削孔が完了する。
【００４５】
つぎに、図１１を参照して、所定深さに降下した薬剤供給用パイプＰに土壌改良用薬剤(Ａ剤、Ｂ剤)を供給する。この際、モータ２を逆転させることで、図９の動作と逆となり、一工程毎に「Ｑ」の長さの上昇を繰り返す。よって、図１０のａ、ｂ、ｃ、と、の長さの上昇の繰り返しで、所定薬剤注入範囲へ薬剤等の供給を完了する。
【００４６】
なお、薬剤供給用パイプＰの先端部に、オーガー装置を装備してもよいものである。
【００４７】
粘土・砂地等の既存宅地基礎の補強・強化のためには、パイプＰを人力で押下げることができるので、低振動、低騒音の作業環境を提供するためには、オーガー装置を省くことがのぞましいものである。
【図面の簡単な説明】
【００４８】
【図１】本願考案の実施例を示す土壌改良装置の平面視の斜視図である。
【図２】同じく背面視の斜視図である
【図３】同じく正面図である。
【図４】同じく平面図である。
【図５】同じく右側面図である。
【図６】回転駆動機構を示し、ａ図は縦面図、ｂ図はａ図Ｓ１−Ｓ１線による横断面図、ｃ図はａ図Ｓ２−Ｓ２線による横断面図である。
【図７】爪付き回転体を示し、ａ図は斜視図、ｂ図は平面図である。
【図８】作業状態を説明する正面図である。
【図９】本願考案装置のセット作業状態を示し、ａ図は平面図、ｂ図は側面図である。
【図１０】削孔作業の説明図である。
【図１１】薬剤供給作業の説明図である。
【符号の説明】
【００４９】
１    本体ケース
２    モータ(ＡＣ100Ｖモータ)
３    減速伝動装置
５    駆動ギヤ
６    駆動ドラム
７    支持フレーム
７Ａ  垂直フレーム
７Ｂ  水平フレーム
７Ｃ  支持台フレーム
８    締付けボルト
１０  爪付き回転体
Ｐ    薬剤供給用パイプ
【図１】
0003136091.tif 000003
【図２】
0003136091.tif 000004
【図３】
0003136091.tif 000005
【図４】
0003136091.tif 000006
【図５】
0003136091.tif 000007
【図６】
0003136091.tif 000008
【図７】
0003136091.tif 000009
【図８】
0003136091.tif 000010
【図９】
0003136091.tif 000011
【図１０】
0003136091.tif 000012
【図１１】
0003136091.tif 000013